(57)【要約】【課題】    煙草を吸いたいと思うと、又は煙草を吸い始めると同時に手を触れることなく灰皿の蓋部が自動的に開放される自動灰皿装置を得る。【解決手段】  制御装置５０を煙感知センサ４８及び灰皿の蓋部１６を開閉させるモータ５２と接続させ、煙感知センサ４８によって車室内に発生する煙が感知されると、制御装置５０へ信号を出力するようにしている。煙感知センサ４８からの信号が制御装置５０へ入力されると、制御装置５０は、モータ５２を駆動させ、灰皿の蓋部１６を自動的に開放させて灰皿が使用状態となるようにすることで、煙草を吸い始めると同時に手を触れることなく灰皿の蓋部１６が開放されることとなるため、大変便利である。【選択図】    図６
2005125823.tif 000002
【特許請求の範囲】
【請求項１】
車両室内に設けられた灰皿を移動させ、前記灰皿を使用状態又は非使用状態とする駆動手段と、
前記車両室内に配設され、煙を感知する煙感知センサと、
前記煙感知センサからの信号に基づいて、前記駆動手段を操作して前記灰皿を使用状態とする制御手段と、
を有することを特徴とする自動灰皿装置。
【請求項２】
車両室内に設けられた灰皿を覆う蓋部を移動させ、前記灰皿を使用状態又は非使用状態とする駆動手段と、
前記車両室内に配設され、煙を感知する煙感知センサと、
前記煙感知センサからの信号に基づいて、前記駆動手段を操作して前記灰皿を使用状態とする制御手段と、
を有することを特徴とする自動灰皿装置。
【請求項３】
車両室内に設けられた灰皿を移動させ、前記灰皿を使用状態又は非使用状態とする駆動手段と、
前記車両室内に配設され、煙草の熱源を感知する熱源感知センサと、
前記熱源感知センサからの信号に基づいて、前記駆動手段を操作して前記灰皿を使用状態とする制御手段と、
を有することを特徴とする自動灰皿装置。
【請求項４】
車両室内に設けられた灰皿を覆う蓋部を移動させ、前記灰皿を使用状態又は非使用状態とする駆動手段と、
前記車両室内に配設され、煙草の熱源を感知する熱源感知センサと、
前記熱源感知センサからの信号に基づいて、前記駆動手段を操作して前記灰皿を使用状態とする制御手段と、
を有することを特徴とする自動灰皿装置。
【請求項５】
前記煙感知センサ又は前記熱源感知センサからの信号に基づいて、前記制御手段が前記車両室内に備えられた換気手段を操作して車両室内を換気することを特徴とする請求項１〜４の何れかに記載の自動灰皿装置。
【請求項６】
車両室内に設けられた灰皿を移動させ、前記灰皿を使用状態又は非使用状態とする駆動手段を備え、
車両室内に設けられたシガーライターを押圧すると、制御手段が前記駆動手段を操作して前記灰皿を使用状態とすると共に、車両室内に備えられた換気手段を操作して車両室内を換気することを特徴とする自動灰皿装置。
【請求項７】
車両室内に設けられた灰皿を覆う蓋部を移動させ、前記灰皿を使用状態又は非使用状態とする駆動手段を備え、
車両室内に設けられたシガーライターを押圧すると、制御手段が前記駆動手段を操作して前記灰皿を使用状態とすると共に、車両室内に備えられた換気手段を操作して車両室内を換気することを特徴とする自動灰皿装置。
【発明の詳細な説明】
【技術分野】
【０００１】
本発明は、車両室内に設けられた灰皿に関するものである。
【背景技術】
【０００２】
一般的に、車両の運転席と助手席との間に配置されたセンターコンソールには、吸殻を収納する収納部に対して蓋部が回動可能となった灰皿が設けられており、手動により蓋部を開放させて、灰皿を使用可能な状態としている。灰皿は吸殻や灰等を捨てること以外に、非使用状態において、煙草の臭いを室内へ流出させないようにするため、喫煙中以外は蓋部が閉止された状態となっている。
【０００３】
したがって、車室内で喫煙をするとき、蓋部を手動で毎回開放させなければならず、運転手が喫煙をする際には、運転中に目視にて蓋部を探さなければならないという不都合があった。このため、既に本出願人が提案している特願２００３−１６７８４１号による静電容量式センサを用い、蓋部にセンサ電極を配設して、該センサ電極に手を触れるだけで蓋部を開放させるようにする方法がある。
【０００４】
しかしながら、究極的には煙草を吸いたいと思うと、又は煙草を吸い始めると同時に手を触れることなく灰皿の蓋部が自動的に開放されることが望ましい。
【発明の開示】
【発明が解決しようとする課題】
【０００５】
本発明は上記事実を考慮し、煙草を吸いたいと思うと、又は煙草を吸い始めると同時に、手を触れることなく灰皿の蓋部が自動的に開放される自動灰皿装置を提供することを課題とする。
【課題を解決するための手段】
【０００６】
請求項１に記載の発明は、車両室内に設けられた灰皿を移動させ、使用状態又は非使用状態とする駆動手段と、前記車両室内に設けられた煙を感知する煙感知センサと、前記煙感知センサからの信号に基づいて、前記駆動手段を操作して前記灰皿を使用状態とする制御手段と、を有することを特徴としている。
【０００７】
請求項１に記載の発明では、車両室内に設けられた灰皿は、駆動手段によって移動し、使用状態又は非使用状態となる。一方、車両室内には煙を感知する煙感知センサを配設しており、煙感知センサからの信号が制御手段へ入力されると、制御手段によって駆動手段を操作し、灰皿を自動的に移動させて使用可能な状態とする。
【０００８】
このように、煙感知センサによって煙を感知させ、これにより制御手段によって灰皿を使用可能な状態とすることで、煙草を吸い始めると同時に、手を触れることなく灰皿が自動的に使用可能な状態となるため、大変便利である。
【０００９】
請求項２に記載の発明は、車両室内に設けられた灰皿を覆う蓋部を移動させ、前記灰皿を使用状態又は非使用状態とする駆動手段と、前記車両室内に配設され、煙を感知する煙感知センサと、前記煙感知センサからの信号に基づいて、前記駆動手段を操作して前記灰皿を使用状態とする制御手段と、を有することを特徴としている。
【００１０】
請求項２に記載の発明では、車両室内に設けられた灰皿を覆う蓋部は、駆動手段によって移動し、蓋部の開閉によって灰皿を使用状態又は非使用状態としている。一方、車両室内には煙を感知する煙感知センサを配設しており、煙感知センサからの信号が制御手段へ入力されると、制御手段によって駆動手段を操作し、灰皿の蓋部を自動的に開放させて灰皿を使用可能な状態とすることで、請求項１に記載の発明と略同一の効果を得ることができる。
【００１１】
請求項３に記載の発明は、車両室内に設けられた灰皿を移動させ、前記灰皿を使用状態又は非使用状態とする駆動手段と、前記車両室内に配設され、煙草の熱源を感知する熱源感知センサと、前記熱源感知センサからの信号に基づいて、前記駆動手段を操作して前記灰皿を使用状態とする制御手段と、を有することを特徴としている。
【００１２】
請求項３に記載の発明では、車両室内には煙草の熱源を感知する熱源感知センサを配設しており、熱源感知センサからの信号が制御手段へ入力されると、制御手段によって駆動手段を操作し、灰皿を自動的に移動させて使用可能な状態とする。
【００１３】
このように、熱源感知センサによって煙草の熱を感知させ、これにより制御手段によって灰皿を使用可能な状態とすることで、灰皿を使用したいときに、手を触れることなく灰皿が自動的に使用可能な状態となるため、大変便利である。
【００１４】
請求項４に記載の発明は、車両室内に設けられた灰皿を覆う蓋部を移動させ、前記灰皿を使用状態又は非使用状態とする駆動手段と、前記車両室内に配設され、煙草の熱源を感知する熱源感知センサと、前記熱源感知センサからの信号に基づいて、前記駆動手段を操作して前記灰皿を使用状態とする制御手段と、を有することを特徴としている。
【００１５】
請求項４に記載の発明では、車両室内には煙草の熱源を感知する熱源感知センサを配設しており、熱源感知センサからの信号が制御手段へ入力されると、制御手段によって駆動手段を操作し、灰皿の蓋部を自動的に開放させて灰皿を使用可能な状態とすることで、請求項３に記載の発明と略同一の効果を得ることができる。
【００１６】
請求項５に記載の発明は、請求項１〜４の何れかに記載の自動灰皿装置において、前記煙センサ又は前記熱源感知センサからの信号に基づいて、前記制御手段が車両室内に備えられた換気手段を操作して車室内を換気することを特徴としている。
【００１７】
車室内で喫煙するとき、車室内には煙が充満するため、車室内用の空調装置を用いて車室内へ外気を導入し、車室内を換気する必要があるが、車室内へ外気を導入するためには、センターコンソールに配設された空調装置用の操作パネルを操作しなければならず、目視により操作パネルの操作スイッチを選択して押圧することとなる。
【００１８】
このため、請求項５に記載の発明では、煙感知センサ又は熱源感知センサからの信号が制御手段へ入力されると、制御手段によって、車両室内に備えられた換気手段を操作し、車室内へ外気を導入するようにしている。したがって、喫煙するときに空調装置用の操作パネルを見て操作スイッチを選択する必要はなく、車室内へは自動的に外気が導入され、換気されることとなるため、大変便利である。
【００１９】
請求項６に記載の発明は、車両室内に設けられた灰皿を移動させ、使用状態又は非使用状態とする駆動手段を備え、車両室内に設けられたシガーライターを押圧すると、制御手段が前記駆動手段を操作して前記灰皿を使用状態とすると共に、車両室内に備えられた換気手段を操作して車両室内を換気することを特徴としている。
【００２０】
請求項６に記載の発明では、車両室内に設けられた灰皿は、駆動手段によって移動し、使用状態又は非使用状態となる。一方、車両室内にはシガーライターが配設されており、このシガーライターを押圧すると、制御手段によって、駆動手段を操作し、灰皿を自動的に移動させ使用状態とすると共に、車両室内に備えられた換気手段を操作して、車両室内へ外気を自動的に導入し車両室内を換気するため利便性が良い。
【００２１】
シガーライターは通常煙草の着火用に用いられ、このシガーライターを押圧するということは、これから喫煙するということを意味し、煙草を吸いたいと思うと同時に手を触れることなく灰皿が自動的に移動して使用可能な状態となり、車両室内が換気されることとなる。
【００２２】
請求項７に記載の発明は、車両室内に設けられた灰皿を覆う蓋部を移動させ、前記灰皿を使用状態又は非使用状態とする駆動手段を備え、車両室内に設けられたシガーライターを押圧すると、制御手段が前記駆動手段を操作して前記灰皿を使用状態とすると共に、車両室内に備えられた換気手段を操作して車両室内を換気することを特徴としている。
【００２３】
請求項７に記載の発明では、車両室内に設けられた灰皿を覆う蓋部は、駆動手段によって移動し、蓋部の開閉によって灰皿を使用状態又は非使用状態としている。一方、車両室内にはシガーライターが配設されており、このシガーライターを押圧すると、制御手段によって、駆動手段を操作し、灰皿の蓋部を自動的に開放させると共に、車両室内に備えられた換気手段を操作して、車両室内を換気することで、請求項６に記載の発明と略同一の効果を得ることができる。
【発明の効果】
【００２４】
本発明は、上記構成としたので、請求項１〜４の何れかに記載の発明では、煙草を吸い始めると同時に、手を触れることなく灰皿の蓋部が自動的に開放されることとなるため、大変便利である。
【００２５】
請求項５に記載の発明では、喫煙するときに空調装置用の操作パネルを見て操作スイッチを選択する必要はなく、車室内へは自動的に外気が導入され、換気されることとなるため、大変便利である。
【００２６】
請求項６又は７に記載の発明では、煙草を吸いたいと思うと同時に手を触れることなく灰皿の蓋部が自動的に開放され、車両室内が換気されることとなる。
【発明を実施するための最良の形態】
【００２７】
以下、本発明の実施の形態に係る自動灰皿装置について説明する。
【００２８】
図１〜図３には、本発明の実施の形態に係る自動灰皿装置１０が示されている。この自動灰皿装置１０は車両の運転席と助手席との間に位置するセンターコンソール１２に配置されており、箱状の灰皿１４と灰皿１４を開閉する蓋部１６とで構成され、蓋部１６が露出した状態でセンターコンソール１２に凹設された凹部（図示省略）内に収容されている。そして、蓋部１６が開放された状態（図３参照）で灰皿１４が使用状態となり、蓋部１６が閉止された状態（図２参照）で灰皿１４が非使用状態となる。
【００２９】
また、図３及び図４に示すように、灰皿１４の幅方向の一側壁には、ギア収納部１８が設けられており、複数のギア２６等が配設可能となっている。ギア収納部１８の底部には、載置台２２が設けられており、正逆回転可能なモータ２４が載置されている。このモータ２４にはウォームギア２０が直結されており、モータ２４が作動すると、モータ２４の駆動力がウォームギア２０へ伝達される。
【００３０】
このウォームギア２０は軸部２８に配設されたトルクリミッタ３０を構成するギア３４と噛み合っている。また、トルクリミッタ３０にはクラッチギア３２を備えており、ウォームギア２０からの駆動力がギア３４へ伝達されると、ギア３４に固定された軸部２８を介してクラッチギア３２が回転する。このクラッチギア３２にはギア２６が噛み合っており、クラッチギア３２の回転力はギア２６へ伝達される。
【００３１】
ここで、クラッチギア３２は所定値以上のトルクが負荷されると、軸部２８に対して空転するようになっており、クラッチギア３２と軸部２８及びギア３４との間で、駆動力が伝達されないようにして、モータ２４に所定値以上のトルクが負荷されないようにしている。
【００３２】
一方、蓋部１６の軸板１６Ａには、セクタギア３６が形成されており、このセクタギア３６がギア２６に噛み合っている。これにより、ギア２６に回転力が伝達されると、セクタギア３６を介して蓋部１６が回動し、灰皿１４が開放又は閉止される。
【００３３】
ところで、図５（Ａ）、（Ｂ）に示すように、セクタギア３６の裏面側には、位置検出片６２、６４がセクタギア３６の半径方向に沿ってセクタギア３６の外縁部から張り出している。
【００３４】
位置検出片６２、６４の移動軌跡上には、断面が略Ｕ字状に形成された位置検出センサ６５としてのフォトインタラプタ６６が配設されており、位置検出片６２、６４によって、フォトインタラプタ６６の側壁間を透過する光を遮断可能としている。
【００３５】
また、位置検出片６４の移動軌跡上には、フォトインタラプタ６６と略同一のフォトインタラプタ６８も配設されており、位置検出片６４によって、フォトインタラプタ６８の側壁間を透過する光を遮断可能としている。
【００３６】
図５（Ａ）に示すように、蓋部１６が閉止された状態では、位置検出片６４はフォトインタラプタ６６の側壁の間に位置し、フォトインタラプタ６６の光は遮断されるが、フォトインタラプタ６８の光は側壁間を透過する状態が維持される。
【００３７】
また、図５（Ｂ）に示すように、蓋部１６が開放又は閉止途中の状態では、位置検出片６４、６２がフォトインタラプタ６６の側壁間を通過し、フォトインタラプタ６６の光は位置検出片６４、６２の通過時において遮断されるが、フォトインタラプタ６８の光は側壁間を透過する状態が維持される。
【００３８】
さらに、図４に示すように、蓋部１６が開放された状態では、位置検出片６４がフォトインタラプタ６８の側壁間に位置し、フォトインタラプタ６８の光は遮断されるが、フォトインタラプタ６６の光は側壁間を透過する状態が維持される。
【００３９】
フォトインタラプタ６６、６８はそれぞれモータ５２と接続された制御装置５０（図６参照）に接続されており、フォトインタラプタ６６、６８の光が遮断されたか否かが制御装置５０へ入力される。これにより、制御装置５０では蓋部１６が開放又は閉止された状態であることが認識され、モータ２４を駆動停止させる。
【００４０】
一方、図３に示すように、蓋部１６の自由端部上面の運転席側には、蓋部１６の上面に手掛け部３８が立設しており、手を引っ掛けて蓋部１６を開閉できるようにしている。また、灰皿１４の内壁面には、断面が逆Ｌ字状を成し、灰皿１４の内側へ向かって水平方向に張り出す火消し部４０が設けられている。この火消し部４０の水平部４２には、３つの穴部４２Ａが穿設されており、水平部４２の表面が凹凸状となっている。この水平部４２に煙草の火種部分を押し付けることで煙草の火を消すことができる。
【００４１】
また、図１に示すように、灰皿１４の隣りには、凹部４４が凹設されており、凹部４４の中央部には、図示しないバッテリーと接続するソケット（図示省略）が配設されている。このソケット内にはシガーライター４６が突出した状態で配設されており、ソケットの奥方へ押圧可能となっている。
【００４２】
このシガーライター４６を押圧した状態で、シガーライター４６はソケットを介してバッテリーに接続され、シガーライター４６に備えられた電熱線が加熱される。このように加熱した状態の電熱線に煙草の先端部を接触させることで、煙草に火を付けることができる。
【００４３】
ところで、運転席側のルーフ４７には、煙感知センサ４８が配設されており、立ち昇る煙を感知できるようになっている。ここで、煙感知センサ４８は、放射線の電離作用を利用して煙による電離電流の変化を感知するという、いわゆる「イオン化式」を用いるが、煙による光の透過度の変化を利用する「光電式」を用いても良い。
【００４４】
また、煙感知センサ４８は、図６に示すように、制御装置５０と接続されており、煙感知センサ４８によって、車室内に発生する煙が感知されると、制御装置５０へ信号が出力される。
【００４５】
一方、制御装置５０は、灰皿１４の蓋部１６を開閉させるモータ５２と接続しており、煙感知センサ４８からの信号が制御装置５０へ入力されると、モータ５２を駆動させて蓋部１６を開放させ灰皿１４を使用状態とする。また、制御装置５０は、空調装置５４に備えられたファンモータ５６と接続しており、煙感知センサ４８からの信号が制御装置５０へ入力されると、ファンモータ５６を駆動させる。
【００４６】
ここで、制御装置５０は、空調装置５４のモード切替えダンパ５８と接続しており、煙感知センサ４８からの信号が制御装置５０へ信号が入力されると、モード切替えダンパ５８を動作させて、車室外と車室内とを連通させるようにする。これにより、煙感知センサ４８からの信号が制御装置５０へ入力され、ファンモータ５６が駆動すると、車室内へ外気が導入されることとなり、車室内が換気される。
【００４７】
なお、煙感知センサ４８からの信号が制御装置５０へ入力されるとき、車室外と車室内とが既に連通された状態の場合は、モード切替えダンパ５８は動作しない。
【００４８】
次に、本発明の実施の形態に係る自動灰皿装置の作用について説明する。
【００４９】
図６に示すように、本形態では、制御装置５０を煙感知センサ４８及び灰皿１４の蓋部１６を開閉させるモータ５２と接続させ、煙感知センサ４８によって車室内に発生する煙が感知されると、制御装置５０へ信号を出力するようにしている。
【００５０】
煙感知センサ４８からの信号が制御装置５０へ入力されると、制御装置５０は、モータ５２を駆動させ、灰皿１４の蓋部１６を自動的に開放させて灰皿１４が使用状態となるようにしている。これにより、煙草を吸い始めると同時に手を触れることなく灰皿１４の蓋部１６が開放されることとなるため、大変便利である。
【００５１】
また、制御装置５０を空調装置５４のファンモータ５６及びモード切替えダンパ５８と接続させ、煙感知センサ４８によって車室内に発生する煙が感知され、制御装置５０へ信号が入力されると、制御装置５０は、ファンモータ５６を駆動させると共に、モード切替えダンパ５８を動作させ、車室外と車室内とを連通させるようにしている。これにより、煙感知センサ４８からの信号が制御装置５０へ入力されると、ファンモータ５６が駆動し、車室内へ外気が導入され、車室内が換気されることとなる。
【００５２】
例えば、手動により車室内へ外気を導入させるようにする場合、センターコンソール１２に配設された空調装置５４用の操作パネル６０（図１参照）を操作しなければならず、目視により操作パネル６０に表示されたモード（車室内の空気を循環或いは車室内へ外気を導入する）を選択しなければならない。
【００５３】
このため、煙感知センサ４８からの信号が制御装置５０へ入力されると、制御装置５０によって、自動的に車室内へ外気を導入させるようにすることで、喫煙すると、自動的に換気がなされるため、操作パネル６０を操作する必要はなく、大変便利である。
【００５４】
なお、ここでは、灰皿１４の蓋部１６が自動的に開放するということについて説明したが、該蓋部１６を手動で開放しても良いのは勿論のことであり、この場合、クラッチギア３２が空転するため、モータ２４に所定値以上のトルクが負荷されることはない。
【００５５】
また、本形態では、車室内に発生する煙が感知されると、制御装置５０によって、モータ５２を駆動させ灰皿１４を自動的に使用可能な状態にすると共に、モード切替えダンパ５８を動作させファンモータ５６を駆動させて、外気を自動的に導入して車室内を換気するようにしたが、両者を必ずしも満足させなければならないということはなく、どちらか一方を満足させるようにしても良い。
【００５６】
さらに、本形態では、煙感知センサ４８を用い、車室内に発生する煙を感知させるようにしたが、これに限るものではない。例えば、熱源感知センサとしての赤外線センサを用いても良く、この場合、例えば、図１に示すように、灰皿１４の近傍に赤外線センサ７０を配設し、赤外線センサ７０によって、煙草の熱源から放出される赤外線エネルギーを検出して、喫煙状態を感知させるようにしても良い。
【００５７】
また、これ以外にも、ホコリセンサを用いて煙の粒子を感知させるようにしても良いし、ニオイセンサを用いて、煙草の燃焼時に発生する水素ガスを検出し、喫煙状態を感知させるようにしても良い。
【００５８】
また、ここでは、喫煙している状態を感知すると、制御装置５０へ信号が入力されるようしたが、図７に示すように、シガーライター４６と制御装置５０を接続し、シガーライター４６を押圧することで、制御装置５０へ信号が入力されるようにしても良い。
【００５９】
シガーライター４６は通常煙草の着火用に用いられ、このシガーライター４６を押圧するということは、これから喫煙するということを意味し、煙草を吸いたいと思うと同時に手を触れることなく灰皿１４の蓋部１６が自動的に開放されると共に、外気が自動的に導入され車室内を換気することとなるため、便利である。また、この場合においても、灰皿１４の蓋部１６の開放及び外気導入を必ずしも満足させなければならないということはなく、どちらか一方を満足させるようにしても良い。
【００６０】
ところで、本形態では、灰皿１４に対して蓋部１６を開閉させ、蓋部１６の開閉によって灰皿１４が使用状態又は非使用状態となるようにしたが、図８（Ａ）、（Ｂ）に示すように、灰皿７２が回動移動により、使用状態又は非使用状態となるタイプに適用させても良く、図９（Ａ）、（Ｂ）に示すように、灰皿７４がスライド移動により使用状態又は非使用状態となるタイプに適用させても良い。
【００６１】
ここで、灰皿７４を移動させる駆動手段としては、モータに限らず、ソレノイド７６を用い、ソレノイド７６に直結され出入するプランジャー７８の先端面を灰皿７４の後面に固定して、灰皿７４をスライドさせるようにしても良い。
【図面の簡単な説明】
【００６２】
【図１】本発明の実施の形態に係る灰皿の配置を示す説明図である。
【図２】本発明の実施の形態に係る灰皿が閉止された状態を示す斜視図である。
【図３】本発明の実施の形態に係る灰皿が開放された状態を示す斜視図である。
【図４】本発明の実施の形態に係る灰皿の駆動系の正面図である。
【図５】本発明の実施の形態に係る灰皿の位置を検出する位置検出センサの正面図であり、（Ａ）は蓋部が閉止された状態を示し、（Ｂ）は蓋部が開放又は閉止途中の状態を示している。
【図６】本発明の実施の形態に係る灰皿に備えられた制御装置のブロック図である。
【図７】本発明の実施の形態に係る灰皿に備えられた制御装置の他の例を示すブロック図である。
【図８】（Ａ）、（Ｂ）は本発明の実施の形態に係る灰皿の他の動作例を示す斜視図である。
【図９】（Ａ）、（Ｂ）は本発明の実施の形態に係る灰皿のその他の動作例を示す斜視図である。
【符号の説明】
【００６３】
１０    自動灰皿装置
１４    灰皿
２４    モータ
４６    シガーライター
４８    煙感知センサ
５０    制御装置
５２    モータ
５４    空調装置（換気手段）
５６    ファンモータ（換気手段）
５８    モード切替えダンパ（換気手段）
７０    赤外線センサ（熱源感知センサ）
７２    灰皿
７４    灰皿
７６    ソレノイド（駆動手段）
７８    プランジャー（駆動手段）
【図１】
2005125823.tif 000003
【図２】
2005125823.tif 000004
【図３】
2005125823.tif 000005
【図４】
2005125823.tif 000006
【図５】
2005125823.tif 000007
【図６】
2005125823.tif 000008
【図７】
2005125823.tif 000009
【図８】
2005125823.tif 000010
【図９】
2005125823.tif 000011